(57)【要約】【課題】コンデンサの発熱値及び容量を短時間で精度よく測定することが可能なコンデンサの発熱及び容量測定方法、並びに、コンデンサの発熱及び容量測定装置を提供する。【解決手段】外部と熱的に遮断された領域（槽１の内部）にて、コンデンサ２に所定の電圧を印加し、コンデンサ２の温度が略一定になった時点における電流値（ＩX）及び発熱値（ΔＴX）：コンデンサ温度−周囲温度を求め、得られた電流値（ＩX）、発熱値（ΔＴX）に基づいて、基準電流値（ＩC）における発熱値（ΔＴC）を、下記の式(１)：  ΔＴC＝ΔＴX×ＩC2／ＩX2    ……(１)     により求める。【選択図】図１
2005072134.tif 000002
【特許請求の範囲】
【請求項１】
外部と熱的に遮断された領域にて、コンデンサの温度が略一定になるようにコンデンサに所定の電圧を印加し、コンデンサの温度が略一定になった時点における電流値（ＩX）及び発熱値（ΔＴX）：コンデンサ温度−周囲温度を求めるステップと、
前記ステップにより得られた電流値（ＩX）及び発熱値（ΔＴX）に基づいて、下記の式(１)：
ΔＴC＝ΔＴX×ＩC2／ＩX2    ……(１)     
により、求めたい基準電流値（ＩC）における発熱値（ΔＴC）を求めるステップと
を具備することを特徴とするコンデンサの発熱測定方法。
【請求項２】
外部と熱的に遮断された領域にて、コンデンサの温度が略一定になるように、コンデンサに所定の電圧を印加し、温度が略一定になった時点における電流値（Ｉ）、電圧値（Ｖ）及び電源周波数（ｆ）を求めるステップと、
前記ステップにより得られた電流値（Ｉ）、電圧値（Ｖ）及び電源周波数（ｆ）の値に基づいて、下記の式(２)：
Ｃ＝１／２πｆＶ          ……(２)
により、求めたい基準電流値（ＩC）における容量を求めるステップと
を具備することを特徴とするコンデンサの容量測定方法。
【請求項３】
外部と熱的に遮断された槽と、
槽内にセットされたコンデンサに交流電圧を印加するための交流電源と、
交流電源からコンデンサに印加された電流値を測定する電流計と、
コンデンサの温度を測定する温度測定手段と、
コンデンサの周囲温度を測定する周囲温度測定手段と
を具備し、
コンデンサの温度が略一定になるようにコンデンサに所定の電圧を印加し、
コンデンサの温度が略一定になった時点における電流値（ＩX）及び発熱値（ΔＴX）：コンデンサ温度−周囲温度を求め、得られた電流値（ＩX）及び発熱値（ΔＴX）に基づいて、下記の式(１)：
ΔＴC＝ΔＴX×ＩC2／ＩX2    ……(１)     
により、求めたい基準電流値（ＩC）における発熱値（ΔＴC）を求めるように構成されていること
を特徴とするコンデンサの発熱測定装置。
【請求項４】
外部と熱的に遮断された槽と、
槽内にセットされたコンデンサに交流電圧を印加するための交流電源と、
交流電源からコンデンサに印加された電流値を測定する電流計と、
コンデンサの温度を測定する温度測定手段と、
コンデンサの周囲温度を測定する周囲温度測定手段と、
コンデンサの両端に加わる電圧を検出するための電圧計と
を具備し、
コンデンサの温度が略一定になるように、コンデンサに所定の電圧を印加し、温度が略一定になった時点における電流値（Ｉ）、電圧値（Ｖ）及び電源周波数（ｆ）を求め、得られた電流値（Ｉ）、電圧値（Ｖ）及び電源周波数（ｆ）の値に基づいて、下記の式(２)：
Ｃ＝１／２πｆＶ            ……(２)
により、求めたい基準電流値（ＩC）における容量を求めるように構成されていること
を特徴とするコンデンサの容量測定装置。
【発明の詳細な説明】
【技術分野】
【０００１】
本願発明は、コンデンサの発熱及び容量（静電容量）を測定する方法、及び、それに用いられる装置に関する。
【背景技術】
【０００２】
インバーターシステムにおいて平滑用に用いられるコンデンサとしては、電解コンデンサが広く用いられており、例えば図６に示すように、コンデンサ本体を過大電流から防護するための回路素子を備えたコンデンサ（電解コンデンサ）が提案されている。
すなわち、このコンデンサ（電解コンデンサ）は、外部回路と接続する陽極側及び陰極側の外部端子５４，５６を備えたコンデンサ本体５２と、このコンデンサ本体５２と熱的に結合されてコンデンサ本体５２の発熱を検出する検温手段６０と、外部端子５４，５６間に接続されて検温手段６０の検温に応じコンデンサ本体５２に対して側路を形成する回路素子５８とを備えている。
【０００３】
このように構成されたコンデンサ（電解コンデンサ）において、外部回路などから定格電圧を越える過大電圧が加えられ、定格電流を越える過大電流が流れると、コンデンサ本体５２が発熱し、検温手段６０によって発熱温度が検出され、検温手段６０に生じた電気的な変化が回路素子５８に加えられる。そして、検温手段６０がコンデンサ本体５２の異常温度を検出しているときに、回路素子５８が導通状態に移行し、コンデンサ本体５２の発熱の原因である過大電流が、コンデンサ本体５２と側路を構成する回路素子５８に分流される。その結果、コンデンサ本体５２に流れる電流が軽減され、過大電流からコンデンサ本体５２が防護されることになる。
【０００４】
一般に、印加される交流電流によりコンデンサは発熱し、その熱により自らの寿命を縮めることになる。そのため、要求される製品寿命を確保し、許容電流量や設計容量（静電容量）値を保証するためには、インバーターシステムなどにおいて実際に用いられる際の、電流や電圧などの条件に応じた発熱量を正確に把握し、それに基づいた設計を行うことが必要となる。
【０００５】
ところで、コンデンサに一定の交流電流を印加してコンデンサを発熱させることにより発熱値（コンデンサ温度と周囲温度との差（ΔＴX））を測定するにあたっては以下に説明するような問題点がある。
【０００６】
(１)印加電流の変化による発熱値の変化
コンデンサの発熱値を測定するために、コンデンサに交流電流を印加して発熱させた場合の発熱値（ΔＴ）は一般にΔＴ∝ＥＳＲ（等価直列抵抗）×Ｉ2として表わされ、電流Ｉの２乗に比例するため、発熱値は電流値により敏感に変化する。通常は、交流電源の出力を一定にして測定を行うが、容量の温度特性のあるコンデンサでは発熱による温度上昇により容量が変化すると同時に、インピーダンスも変化して、印加される電流値が変化する。したがって、正確な発熱値を測定するためには、電流値の変化に合わせて交流電源の出力を調整することが必要になる。しかし、交流電源の出力を調整して電流値の調整を行うと、コンデンサの温度が安定するまでにさらに時間を必要とし、測定に必要な時間が長くなるという問題点がある。また、交流電流を一定に保つフイードバックシステムを備えた交流電源を用いても、コンデンサの容量変化が大きい場合には、交流電源による電流補正（電流変化）の幅が大きく、安定するまでに長い時間を要し、測定時間が長くなるという問題がある。
【０００７】
(２)周囲温度の変化による発熱値の変化
また、槽の温度を一定に保ち、コンデンサに交流電流を印加して、発熱させた場合、コンデンサの発熱により槽内の周囲温度が上昇し、それに伴ってコンデンサの温度も上昇するため、コンデンサ温度が安定するまでに時間を要し、測定時間が長くなるという問題点がある。また、周囲温度の変化によるコンデンサ温度の揺らぎにより、上記(１)で述べた電流値の変化が併発し、コンデンサの温度が安定するまでにはさらに時間を要し、測定時間の延長を招くという問題がある。
【特許文献１】特開平１０−１６３０７７号公報
【発明の開示】
【発明が解決しようとする課題】
【０００８】
本願発明は、上記問題点を解決するものであり、コンデンサの発熱値及び容量を短時間で精度よく測定することが可能なコンデンサの発熱及び容量測定方法、並びに、コンデンサの発熱及び容量測定装置を提供することを目的とする。
【課題を解決するための手段】
【０００９】
上記目的を達成するために、本願発明（請求項１）のコンデンサの発熱測定方法は、
外部と熱的に遮断された領域にて、コンデンサの温度が略一定になるようにコンデンサに所定の電圧を印加し、コンデンサの温度が略一定になった時点における電流値（ＩX）及び発熱値（ΔＴX）：コンデンサ温度−周囲温度を求めるステップと、
前記ステップにより得られた電流値（ＩX）及び発熱値（ΔＴX）に基づいて、下記の式(１)：
ΔＴC＝ΔＴX×ＩC2／ＩX2    ……(１)     
により、求めたい基準電流値（ＩC）における発熱値（ΔＴC）を求めるステップと
を具備することを特徴としている。
【００１０】
また、本願発明（請求項２）のコンデンサの容量測定方法は、
外部と熱的に遮断された領域にて、コンデンサの温度が略一定になるように、コンデンサに所定の電圧を印加し、温度が略一定になった時点における電流値（Ｉ）、電圧値（Ｖ）及び電源周波数（ｆ）を求めるステップと、
前記ステップにより得られた電流値（Ｉ）、電圧値（Ｖ）及び電源周波数（ｆ）の値に基づいて、下記の式(２)：
Ｃ＝１／２πｆＶ          ……(２)
により、求めたい基準電流値（ＩC）における容量を求めるステップと
を具備することを特徴としている。
【００１１】
また、本願発明（請求項３）のコンデンサの発熱測定装置は、
外部と熱的に遮断された槽と、
槽内にセットされたコンデンサに交流電圧を印加するための交流電源と、
交流電源からコンデンサに印加された電流値を測定する電流計と、
コンデンサの温度を測定する温度測定手段と、
コンデンサの周囲温度を測定する周囲温度測定手段と
を具備し、
コンデンサの温度が略一定になるようにコンデンサに所定の電圧を印加し、
コンデンサの温度が略一定になった時点における電流値（ＩX）及び発熱値（ΔＴX）：コンデンサ温度−周囲温度を求め、得られた電流値（ＩX）及び発熱値（ΔＴX）に基づいて、下記の式(１)：
ΔＴC＝ΔＴX×ＩC2／ＩX2    ……(１)     
により、求めたい基準電流値（ＩC）における発熱値（ΔＴC）を求めるように構成されていること
を特徴としている。
【００１２】
また、本願発明（請求項４）のコンデンサの容量測定装置は、
外部と熱的に遮断された槽と、
槽内にセットされたコンデンサに交流電圧を印加するための交流電源と、
交流電源からコンデンサに印加された電流値を測定する電流計と、
コンデンサの温度を測定する温度測定手段と、
コンデンサの周囲温度を測定する周囲温度測定手段と、
コンデンサの両端に加わる電圧を検出するための電圧計と
を具備し、
コンデンサの温度が略一定になるように、コンデンサに所定の電圧を印加し、温度が略一定になった時点における電流値（Ｉ）、電圧値（Ｖ）及び電源周波数（ｆ）を求め、得られた電流値（Ｉ）、電圧値（Ｖ）及び電源周波数（ｆ）の値に基づいて、下記の式(２)：
Ｃ＝１／２πｆＶ            ……(２)
により、求めたい基準電流値（ＩC）における容量を求めるように構成されていること
を特徴としている。
【発明の効果】
【００１３】
本願発明（請求項１）のコンデンサの発熱測定方法は、外部と熱的に遮断された領域にて、コンデンサに所定の電圧を印加し、コンデンサの温度が略一定になった時点における電流値（ＩX）及び発熱値（ΔＴX）：コンデンサ温度−周囲温度を求め、得られた電流値（ＩX）及び発熱値（ΔＴX）に基づいて、基準電流値（ＩC）における発熱値（ΔＴC）を、式(１)：
ΔＴC＝ΔＴX×ＩC2／ＩX2……(１)     
により求めるようにしているので、基準電流値（ＩC）における発熱値（ΔＴC）を短時間で、効率よく求めることが可能になる。
【００１４】
すなわち、例えば、外部と熱的に遮断された槽の温度を一定にした後、概略基準電流値付近になるようにコンデンサに電圧を印加して発熱させ、コンデンサの温度を略一定になるようにする（印加されている電流値が基準電流値といくらかずれていてもその電流値でコンデンサの発熱温度を安定させる）とともに、略一定になった電流値をＩX、基準電流値（本来設定したい電流値）をＩC、電流値（ＩX）での発熱をΔＴX、基準電流値（ＩC）での発熱をΔＴCとして、コンデンサの発熱値ΔＴX（コンデンサ温度−周囲温度）を、上記式(１)： ΔＴC＝ΔＴX×ＩC2／ＩX2により、規定の電流が流れた場合の発熱値ΔＴCに換算することにより、コンデンサが発熱して容量が変化し、規定の電流値から外れた電流値にてコンデンサの温度が安定することになるような状況下においても、その際に印加している電流値を修正することなく、そのままコンデンサの温度が略一定になるまで測定を行うだけで、規定の電流を印加した場合のコンデンサの発熱値を精度よく求めることが可能になる。
【００１５】
また、コンデンサ温度が上昇中で、それに伴って周囲温度が上昇し、かつ、そのときのコンデンサ温度と周囲温度を差し引いた発熱値が変化している場合であっても、上記の式(１)により、規定の電流を印加した場合のコンデンサの発熱値を精度よく求めることが可能になる。
【００１６】
また、本願発明（請求項２）のコンデンサの容量測定方法は、外部と熱的に遮断された領域にて、コンデンサに所定の電圧を印加し、コンデンサの温度が略一定になった時点における電流値（Ｉ）、電圧値（Ｖ）及び電源周波数（ｆ）を求め、得られた電流値（Ｉ）、電圧値（Ｖ）及び電源周波数（ｆ）の値に基づいて、基準電流値（ＩC）における容量を、下記の式(２)：
Ｃ＝１／２πｆＶ          ……(２)
により求めるようにしているので、基準電流値（ＩC）における容量（静電容量）（Ｃ）を短時間で、効率よく求めることが可能になる。
なお、本願発明のコンデンサの容量測定方法においては、測定周波数におけるコンデンサの等価直列抵抗値が、コンデンサのインピーダンス値と比較して十分に低い場合（すなわち、コンデンサのインピーダンス値が、コンデンサの等価直列抵抗値よりも十分に低い場合）に、上記の式(２)を適用することが可能であり、かかる条件を満たさない場合は、求められる容量値の精度が低下することになる。
【００１７】
また、本願発明（請求項３）のコンデンサの発熱測定装置は、外部と熱的に遮断された槽と、槽内にセットされたコンデンサに交流電圧を印加するための交流電源と、交流電源からコンデンサに印加された電流値を測定する電流計と、コンデンサの温度を測定する温度測定手段と、コンデンサの周囲温度を測定する周囲温度測定手段とを具備しているので、かかるコンデンサの発熱測定装置を用いることにより、コンデンサに所定の電圧を印加し、コンデンサの温度が略一定になった時点における電流値（ＩX）及び発熱値（ΔＴX）：コンデンサ温度−周囲温度を容易に求めることが可能になり、得られた電流値（ＩX）及び発熱値（ΔＴX）に基づいて、上記の式(１)により、基準電流値（ＩC）における発熱値（ΔＴC）を精度よく求めることが可能になる。
【００１８】
また、本願発明（請求項４）のコンデンサの容量測定装置は、外部と熱的に遮断された槽と、槽内にセットされたコンデンサに交流電圧を印加するための交流電源と、交流電源からコンデンサに印加された電流値を測定する電流計と、コンデンサの温度を測定する温度測定手段と、コンデンサの周囲温度を測定する周囲温度測定手段と、コンデンサの両端に加わる電圧を検出するための電圧計とを具備しているので、かかるコンデンサの容量測定装置を用いることにより、コンデンサに所定の電圧を印加し、コンデンサの温度が略一定になった時点における電流値（Ｉ）、電圧値（Ｖ）及び電源周波数（ｆ）を容易に求めることが可能になり、得られた電流値（Ｉ）、電圧値（Ｖ）及び電源周波数（ｆ）の値に基づいて、上記の式(２)から、基準電流値（ＩC）における容量を精度よく求めることが可能になる。
【発明を実施するための最良の形態】
【００１９】
以下に本願発明の実施例を示して、本願発明の特徴とするところをさらに詳しく説明する。
【実施例】
【００２０】
この実施例では、インバーターシステムにおいて平滑用に用いられるコンデンサの基準電流値（ＩC）における発熱値及び容量（静電容量）を測定する場合を例にとって説明する。
【００２１】
この実施例では、基準電流値（ＩC）における発熱値及び容量を測定するための測定装置として、図１に示すような測定装置を用いた。
この測定装置は、外部と熱的に遮断され、内部温度を一定に保つことができるように構成された槽１と、槽１内にセットされるコンデンサ２に交流電圧を印加するための交流電源３と、交流電源３からコンデンサ２に印加された電流値を測定する電流計４と、コンデンサ２の温度及びコンデンサの周囲温度（槽１の内部温度）を測定する温度測定器５と、コンデンサの両端に加わる電圧を検出するための電圧計６とを備えている。また、この測定装置では、直流電圧を印加した状態において、基準電流値（ＩC）における発熱値及び容量を測定することができるように、交流電源３と並列に、直流電源７を配設するとともに、直流電源７に印加される交流電流を阻止するための交流電流阻止用コイル８を直流電源７と直列、かつ、交流電源３と並列に配設するとともに、交流電源３と直列に直流電圧阻止用コンデンサ９を配設している。
【００２２】
本願発明においては、槽１としては、恒温槽や恒温恒湿槽などを用いることが可能である。
また、温度測定器５としては、非接触式の温度測定器を用いることが望ましいが、熱電対などの接触式の温度測定器を用いることも可能である。なお、この実施例では、温度測定器５がコンデンサ２の温度を測定するための温度測定手段とコンデンサの周囲温度を測定するための周囲温度測定手段を兼ねているが、コンデンサの温度を測定する温度測定手段と、周囲温度を測定する周囲温度測定手段を別々に設けることも可能である。
また、交流電源３としては、コンデンサ２の容量が低下した場合に、電流出力が大きくなる特性を持つものが用いられている。
また、交流電流阻止用コイル８としては、直流電源に印加される交流電流を確実に阻止することができるように、使用する直流電源の許容できる交流電流以下となるインピーダンスを有するものを用いることが望ましい。
また、直流電圧阻止用コンデンサ９としては、発熱値及び容量を測定する対象となるコンデンサ（被検試料）に対し、容量値及び絶縁抵抗（ＩＲ）値がいずれも１０倍以上のものを用いることが望ましい。
【００２３】
そして、上記のように構成された測定装置を用い、コンデンサ２を内部にセットした槽１の温度を所定の温度（一定温度）にした後、直流電源７により直流電圧を印加し、コンデンサ２及び直流電圧阻止用コンデンサ９の充電が終了した後、交流電源３より規定の電流値を印加し、コンデンサ２を発熱させる。
その後、連続的にコンデンサ２の温度、槽１内のコンデンサ２の周囲温度を測定し、同時に電流計４にて印加電流値を測定するとともに、電圧計６によりコンデンサ２の両端の電圧を測定する。
【００２４】
そして、上記測定のたびに、コンデンサの発熱値ΔＴX（コンデンサ温度−周囲温度）を算出し、この発熱値ΔＴXを、下記の式(１)：
ΔＴC＝ΔＴX×ＩC2／ＩX2    ……(１)     
を用いて求めたい基準電流値（ＩC）における発熱値（ΔＴC）を求める。
発熱測定時の発熱値    ：ΔＴX
発熱測定時の交流電流値  ：ＩX
規定電流値印加時の発熱値：ΔＴC
規定交流電流値          ：ＩC
【００２５】
以下、具体的な測定データを示してさらに詳しく説明する。
【００２６】
図２は、容量・温度特性を有するコンデンサについて、直流電圧を印加した状態で発熱値を測定した場合のデータである。なお、このコンデンサの基準電流値（ＩC）（規定値）は交流電流１Ａｒｍｓであり、これを目標として、コンデンサの発熱値の測定を行った。測定は、コンデンサは１個ではなく複数個並列に接続して測定した。
図２より、交流電流印加による発熱によってコンデンサの容量が大きく低下していることがわかる。これは、測定に供したコンデンサが容量の温度特性を有するコンデンサであることによるものである。
また、測定に使用した交流電源３は、コンデンサ２の容量が低下した場合に、電流出力が大きくなる特性を持っていることから、コンデンサ２の容量低下に伴って交流電流が増加し、さらにコンデンサ２を発熱させていることがわかる。
このような状況においては、コンデンサ２の温度上昇により槽１内の周囲温度も上昇するため、実際の測定では発熱値が安定するまで３時間を要している。
これに対し、上記の式(１)にて求めた基準電流値（ＩC）における発熱値（ΔＴC）の値は、０．５時間で既に安定していることがわかる。
また、上記の式(１)にて求めた基準電流値（ＩC）における発熱値（ΔＴC）の値は、その後の周囲温度、及びコンデンサ２の温度が変化しても安定していることがわかる。
【００２７】
なお、上記実施例では、図１に示すように、直流電圧を印加した状態で、基準電流値（ＩC）における発熱値及び容量を測定することができるように、交流電源３と並列に直流電源７を配設するとともに、直流電源７に印加される交流電流を阻止するための交流電流阻止用コイル８及び直流電圧阻止用コンデンサ９を配設した測定装置を用いているが、直流電圧を印加しない状態において、基準電流値（ＩC）における発熱値のみを測定する場合には、図３に示すように、槽１と、槽１内にセットされるコンデンサ２に交流電圧を印加するための交流電源３と、交流電源３からコンデンサ２に印加された電流値を測定する電流計４と、コンデンサ２の温度及びコンデンサの周囲温度（槽１の内部温度）を測定する温度測定器５を備えた測定装置を用いることが可能である。
【００２８】
また、直流電圧を印加した状態において、基準電流値（ＩC）における発熱値のみを測定する場合には、上記実施例で用いた図１の測定装置から、電圧計６を取り除いた、図４に示すような測定装置を用いることが可能である。
なお、図３及び図４において、図１と同一符号を付した部分は、同一又は相当する部分を示している。
【００２９】
また、コンデンサの種類により、発熱、放熱の関係が異なり、印加する電流値と規定電流値の差が大きい場合には、上記実施例において示した方法により補正を行っても、実際に規定電流値を印加して測定した場合の発熱値との間にずれを生じる場合があり、また、コンデンサの等価直列抵抗（ＥＳＲ）が温度特性を持っている場合にも、規定電流値を印加して測定した場合の発熱値との間にずれを生じる場合がある。
このような場合には、以下に説明するように、測定を行う同種のコンデンサについて、発熱値の電流値依存性を予め測定して、電流値による変化を補正する式を作成しておき、これを用いて発熱値の電流値補正を行うことにより、さらに正確な発熱値を短時間で測定することができる。
【００３０】
図５は、発熱値を測定する前に、発熱値を測定すべきコンデンサと同種のコンデンサを用いて測定した、コンデンサの発熱値と印加電流の関係を示す図である。
なお、ここでは、基準電流値が交流電流３Ａｒｍｓである場合において、３Ａｒｍｓの前後の電流値（例えば、１Ａｒｍｓ，２Ａｒｍｓ，３Ａｒｍｓ，４Ａｒｍｓ及び５Ａｒｍｓ）で発熱値の測定を行った。
そして、得られた電流値（Ｉ）と発熱値（ΔＴ）の関係について、２次式で近似を行い、ΔＴ＝ａＩ2＋ｂＩ＋ｃ（ΔＴ＝１．５２１４Ｉ2−０．７５８６Ｉ＋３．５４）という結果（近似式）を得た。
この場合の基準電流値（ＩC）における発熱値（ΔＴC）は、下記の式(３)で求められる。
ΔＴC＝ΔＴX×(ａ×ＩC2＋ｂ×ＩC＋ｃ)／(ａ×ＩX2＋ｂ×ＩX＋ｃ)
……(３)
発熱測定時の発熱値    ：ΔＴX
発熱測定時の交流電流値  ：ＩX
規定電流値印加時の発熱値：ΔＴC
規定交流電流値          ：ＩC
【００３１】
このように、測定を行う同種のコンデンサにおける発熱値の電流値依存性を予め測定しておいた、電流値による変化を補正する補正式を用いて、発熱値の測定結果を補正することにより、発熱値を短時間でより精度よく測定することができることが実験的にも確認されている。
なお、上記の例では２次式で近似を行っているが、３次以上の近似式とすることも可能である。
【００３２】
本願発明は、上記実施例に限定されるものではなく、コンデンサの種類や寸法、規格、基準電流値、測定装置を構成する槽、交流電源、電流計、温度測定手段、電圧計の種類や構成、測定の際に印加する電圧値、印加時間などに関し、発明の範囲内で種々の応用、変形を加えることが可能である。
【産業上の利用可能性】
【００３３】
本願発明のコンデンサの発熱測定方法及び容量測定方法によれば、コンデンサの発熱値及び容量を短時間で精度よく測定することが可能になるとともに、本願発明のコンデンサの発熱測定装置及び容量測定装置を用いることにより、本願発明のコンデンサの発熱測定方法及び容量測定方法を容易かつ確実に実施することが可能になるため、コンデンサの特性測定や選別などに、本願発明を広く用いることが可能であり、特に自動車用のインバーターシステムにおいて平滑用に用いられる大型の平滑コンデンサなどの特性測定や選別などに好適に用いることができる。
【図面の簡単な説明】
【００３４】
【図１】本願発明の実施例にかかるコンデンサの発熱値及び容量を測定するための装置を示す図である。
【図２】図１に示す装置を用いて測定した発熱値などのデータの経時変化を示す図である。
【図３】本願発明の実施例にかかるコンデンサの発熱測定装置の他の例を示す図である。
【図４】本願発明の実施例にかかるコンデンサの発熱測定装置のさらに他の例を示す図である。
【図５】コンデンサの発熱値を測定する前に同種のコンデンサを用いて測定した、コンデンサの発熱値と印加電流の関係を示す図である。
【図６】インバーターシステムにおいて平滑用に用いられる従来のコンデンサを示す図である。
【符号の説明】
【００３５】
１      槽
２      コンデンサ
３      交流電源
４      電流計
５      温度測定器
６      電圧計
７      直流電源
８      交流電流阻止用コイル
９      直流電圧阻止用コンデンサ
【図１】
2005072134.tif 000003
【図２】
2005072134.tif 000004
【図３】
2005072134.tif 000005
【図４】
2005072134.tif 000006
【図５】
2005072134.tif 000007
【図６】
2005072134.tif 000008